(57)【要約】【課題】インクジェットプリンター、レーザープリンター、コピー機等によってデジタルカメラで撮像した撮像画像や、文字、図柄等の情報を表面に綺麗に印刷可能とする書類フォルダを提供する。【解決手段】本書類フォルダ１は、矩形状の表シート２と裏シート３における長尺側の一辺４と短尺側の一辺５とが閉塞され、これら表シート２と裏シート３の内面間に書類Ｐを収納する書類フォルダ１であって、表シート２及び裏シート３は、合成樹脂シート８から形成され、且つ表シート２側と裏シート３側の両方又は一方の合成樹脂シート８の外面全域又は外面の一部領域には、インクジェットプリンター用インク又はレーザープリンター用トナー等の印刷媒体物質により撮像画像を写真プリントできる写真用コート紙（紙材）９が貼着されている。【選択図】図２
2013119195.tif 000002
【特許請求の範囲】
【請求項１】
矩形状の表シートと裏シートにおける長尺側の一辺と短尺側の一辺とが閉塞され、これら表シートと裏シートの内面間に書類を収納する書類フォルダであって、
表シート及び裏シートは、合成樹脂シートから形成され、且つ表シート側と裏シート側の両方又は一方の合成樹脂シートの外面全域又は外面の一部領域には、インクジェットプリンター用インク又はレーザープリンター用トナー等の印刷媒体物質により撮像画像を写真プリントできる紙材が貼着されている書類フォルダ。
【請求項２】
請求項１に記載の書類フォルダにおいて、
上記紙材は、写真用コート紙が用いられる書類フォルダ。
【請求項３】
請求項１又は２に記載の書類フォルダにおいて、
上記紙材は、表面にカチオン系等の耐水性コート剤が塗布されているものが用いられる書類フォルダ。
【発明の詳細な説明】
【技術分野】
【０００１】
本発明は、用紙、チラシ、病院のカルテ等の各種書類を簡易に収納することができる書類フォルダであって、その表面にインクジェットプリンター、レーザープリンターあるいはコピー機等によって撮像画像を写真のように綺麗に印刷できる書類フォルダに関する。
【背景技術】
【０００２】
一般に、書類フォルダは、用紙、チラシ、病院のカルテ等の各種書類を簡易に収納するために用いられている。この書類フォルダは、矩形状の表シートと裏シートとが長尺側の左辺と短尺側の下辺とで閉塞されて表シートと裏シートの内面間に書類を収納できるように構成している。そして、書類フォルダを形成する表シートと裏シートとは、耐久性の確保等のため、ポリプロピレン等の合成樹脂シートで形成されたものが広く普及している。
【先行技術文献】
【特許文献】
【０００３】
【特許文献１】特開２０１０−１２６４８号公報
【発明の概要】
【発明が解決しようとする課題】
【０００４】
ところで、最近は、家庭でもデジタルカメラ等で撮像した撮像画像をインクジェットプリンターにより写真紙にプリントして写真や、アルバム、フォトブック等を作成することが手軽に行える。しかしながら、書類フォルダは、表シート及び裏シートが合成樹脂シートで形成されているため、ユーザーにおいてインクジェットプリンターにより撮像画像を書類フォルダの表面に写真のように綺麗に印刷することは実際上出来なかった。また、撮像画像のみならず、ユーザーがパーソナルコンピュータで作成した文字や図柄等の情報も、インクジェットプリンター、あるいはレーザープリンターやコピー機等を用いて書類フォルダの表面に再現性よく綺麗に印刷することが出来なかった。
【０００５】
本発明は、上記事情に鑑みてなされたものであり、インクジェットプリンター、レーザープリンター、あるいはコピー機等によって撮像画像や、文字、図柄等の情報を表面に綺麗に印刷可能とする書類フォルダを提供することを課題とする。
【課題を解決するための手段】
【０００６】
本発明に係る書類フォルダは、
矩形状の表シートと裏シートにおける長尺側の一辺と短尺側の一辺とが閉塞され、これら表シートと裏シートの内面間に書類を収納する書類フォルダであって、
表シート及び裏シートは、合成樹脂シートから形成され、且つ表シート側と裏シート側の両方又は一方の合成樹脂シートの外面全域又は外面の一部領域には、インクジェットプリンター用インク又はレーザープリンター用トナー等の印刷媒体物質により撮像画像を写真プリントできる紙材が貼着されている。
これにより、ユーザーがインクジェットプリンター、レーザープリンター、コピー機等を用いて書類フォルダの表面に、撮像画像を写真のように忠実に再現性よく印刷することができ、また、ユーザーが適宜に加工した写真や、自由に作成した文字、図柄等も再現性よく印刷することができる。
【０００７】
上記紙材は、写真用コート紙が用いられることが好ましく、この場合は、特にデジタルカメラ等で撮像した撮像画像を高品質且つ高画質で綺麗に印刷することができる。
また、上記紙材は、表面にカチオン系等の耐水性コート剤が塗布されているものが用いられる場合は、水に対してもインク等の印刷媒体物質がにじまない綺麗な印刷を保持することができる。
【発明の効果】
【０００８】
以上のように、本発明によれば、ユーザーにおいてインクジェットプリンター、レーザープリンター、コピー機等により、撮像画像や、文字、図柄等の情報を書類フォルダの表面に忠実に綺麗に印刷することができる書類フォルダが得られる。
【図面の簡単な説明】
【０００９】
【図１】実施形態による書類フォルダの外観構成を示す平面図である。
【図２】表シート及び裏シートの構成を示す断面図である。
【図３】表シート表面に撮像画像や図柄、文字等をプリントした書類フォルダを示す平面図である。
【発明を実施するための形態】
【００１０】
以下に、本発明の実施形態について添付図面を参照しながら説明する。
図１に示すように、本実施形態の書類フォルダ１は、矩形状の表シート２と裏シート３とを有し、これら表シート２と裏シート３の内面間に、例えばＡ４サイズ等の書類Ｐを収納できる大きさに形成されている。この書類フォルダ１において、表シート２と裏シート３との長尺側の左辺は１枚のシートの折り曲げ部４によって閉塞され、短尺側の下辺は溶着５によって閉塞されている。なお、下辺の溶着５は、折り曲げ部付近５ａには形成されず、多数枚の書類Ｐを収納したときに背幅を広がり易くしている。
【００１１】
そして、この書類フォルダ１は、長尺側の右辺と短尺側の上辺とが開放されているので、通常は表シート２を捲って内部に書類Ｐを出し入れすることができる。また、表シート２の長尺側の右辺には、上部に書類Ｐを引き出し易くするため指掛け用の弧状の上部切欠部６が形成されるとともに、下端部に表シート２を捲ったときの溶着５の破れを防止するため略三角形状の下部切欠部７が形成されている。
【００１２】
図２に示すように、表シート２及び裏シート３は、ポリプロピレン等の合成樹脂シート８に、インクジェットプリンター用インク又はレーザープリンター用トナー等の印刷媒体物質によりデジタルカメラ等で撮像した撮像画像を写真のように忠実に綺麗に写真プリントできる紙材９が貼着された構成を備える。合成樹脂シート８は、透明のものが用いられるが、これに限らず、半透明や不透明のものも使用することができる。この紙材９として、例えば、写真用コート紙９が用いられるが、これに限らず、インクジェット紙などの綺麗に写真プリントできる紙材を用いることができる。
【００１３】
例えば、この書類フォルダ１は、合成樹脂シート８の片面全域に写真用コート紙９を接着剤によって貼着された１枚の矩形シートを用意し、この矩形シートを写真用コート紙９側が表側となるように二つ折りにして表シート２部分と裏シート３部分とを形成し、その短辺側の下辺を溶着５することによって形成することができる。なお、上記切欠部６，７は、１枚の矩形シートとして切り出す際に形成することができる。すると、表シート２及び裏シート３を構成する合成樹脂シート８の外面全域に写真用コート紙９が貼着された書類フォルダ１が得られる。
【００１４】
写真用コート紙９は、例えば、パルプ繊維で形成された基材紙の表面側に微粒子顔料と結着剤とを主成分とする塗工液を塗布した塗工層を形成し、その後カレンダー掛けにて表面を平滑化して作製されたものである。この塗工層がインクやトナーの受理層となり、写真用コート紙９の表面となる。写真用コート紙９は、表面のインク及びトナー受理層においてインクジェットプリンター用インク又はレーザープリンター用トナー等の印刷媒体物質をにじませずに高度に定着させ、且つ光沢度を高くすることができる。従って、この写真用コート紙９上には、インクジェットプリンター、レーザープリンター、コピー機によってデジタルカメラ等で撮像した撮像画像を、写真のように、忠実に且つ高品質で高画質な画像として形成することができる。そして、書類フォルダ１においては、写真用コート紙９のインク及びトナー受理層となった表面が、表シート２及び裏シート３の外面を構成する。なお、写真用コート紙（紙材）９の表面には、例えば、カチオン性シリカの微粒子等のようなカチオン系等の耐水性コート剤が塗布されているものを使用することができ、この場合、水に対してもインクジェット用インク等の印刷媒体物質がにじまない綺麗な印刷を保持することができる。
【００１５】
以上の構成の書類フォルダ１によれば、ユーザーがインクジェットプリンター、レーザープリンター、コピー機等を用いて書類フォルダ１の表面に、デジタルカメラ等で撮像したカラー又はモノクロの撮像画像を、写真のように、忠実に再現性よく、高品質且つ高画質で綺麗に写真プリントすることができる。従って、図３に示すように、ユーザーにおいて、デジタルカメラ等で撮像した撮像画像をそのまま、あるいはパーソナルコンピュータで加工して、家庭用のインクジェットプリンター、あるいはレーザープリンター、コピー機等によって写真のように綺麗に印刷されたオリジナルの書類フォルダ１を手軽に作成することができる。また、撮像画像のみならず、ユーザーがパーソナルコンピュータで作成した文字や図柄等の情報も、インクジェットプリンター、レーザープリンター、コピー機等を用いて表面に再現性よく綺麗に印刷されたオリジナルの書類フォルダ１を手軽に作成することができる（図３参照）。さらには、この書類フォルダ１の表面には、ユーザー自身が水性や油性のペン等の筆記具によって自由に且つ綺麗に書き込むこともできる。
【００１６】
なお、上記実施形態では、書類フォルダ１の表シート２及び裏シート３の両方の外面全域に、紙材（写真用コート紙等）９を貼着した構成とするが、表シート２又は裏シート３のいずれか一方の外面全域に、紙材（写真用コート紙等）９を貼着した構成としてもよい。
また、紙材（写真用コート紙等）９は、書類フォルダ１の表シート２と裏シート３の両方又は一方において上方領域や下方領域等のように外面の一部領域にのみ貼着した構成としてもよい。この場合、合成樹脂シート８を透明で構成すると、紙材９の貼着されていない領域を透して書類フォルダ１内に収納した書類を確認することができる。
【符号の説明】
【００１７】
１  書類フォルダ
２  表シート
３  裏シート
４  折り返し部
５  溶着
６  上部切欠部
７  下部切欠部
８  合成樹脂シート
９  写真用コート紙（紙材）
Ｐ  書類
【図１】
2013119195.tif 000003
【図２】
2013119195.tif 000004
【図３】
2013119195.tif 000005